(57)【特許請求の範囲】
【請求項１】
ハウジングと、このハウジングに収容され箱状の接続部を有する複数の端子と、前記箱状の接続部の内外に出没可能に設けられた接点部と、前記ハウジングの前記端子の接続部側に組付けられるホルダと、このホルダに前記端子の接続部側に向けて延設され前記ホルダが前記ハウジングに組付けられるときに前記接点部の先端と当接して摺動し前記接点部を変位させて前記接続部外に出させる複数の押上部とを備えたコネクタであって、
前記複数の押上部は、前記端子の接続部側に向けて延設された延設長さが少なくとも２種類の長さに設定されており、
前記複数の押上部のうち延設長さが短い前記押上部は、延設長さが長い前記押上部が前記接点部を最大に変位させた後、前記接点部の先端と当接して前記接点部の変位を開始させることを特徴とするコネクタ。
【請求項２】
請求項１に記載のコネクタであって、
前記押上部は、前記接点部の先端との当接を開始させる部分が傾斜面で形成されていることを特徴とするコネクタ。
【発明の詳細な説明】
【技術分野】
【０００１】
本発明は、コネクタに関する。
【背景技術】
【０００２】
従来、コネクタとしては、ハウジングと、このハウジングに収容され箱状の接続部を有する複数の端子と、箱状の接続部の内外に出没可能に設けられた接点部としての接点バネと、ハウジングの端子の接続部側に組付けられるホルダとしてのレセプタクルと、このレセプタクルに端子の接続部側に向けて延設されレセプタクルがハウジングに組付けられるときに接点バネの先端と当接して摺動し接点バネを変位させて接続部外に出させる複数の押上部としての押上突起とを備えたものが知られている（例えば、特許文献１参照）。
【０００３】
このコネクタでは、ハウジングにレセプタクルが組付けられる前の状態で、接点バネが押上突起によって箱状の接続部外に出ることがないので、接点バネが接続部によって保護され、接点バネの変形などを防止することができる。
【０００４】
加えて、ハウジングにレセプタクルが組付けられる前の状態では、接点バネが箱状の接続部外に出ていないので、ハウジングとレセプタクルとを組付けるときに、接点バネとレセプタクルとが摺動することがなく、ハウジングとレセプタクルとの挿入抵抗を低減することができる。
【先行技術文献】
【特許文献】
【０００５】
【特許文献１】特開２０１２−６９４６９号公報
【発明の概要】
【発明が解決しようとする課題】
【０００６】
ところで、上記特許文献１のようなコネクタでは、ハウジングとホルダとを組付けるときに、押上部によって接点部が変位されるので、ハウジングとホルダとの組付において、押上部による接点部の変位分の挿入抵抗が生じる。
【０００７】
このため、ハウジングに収容される端子が多極化した場合には、ハウジングとホルダとの組付において、押上部による接点部の変位箇所が増加され、ハウジングとホルダとの挿入抵抗が増大して組付性が低下してしまう。
【０００８】
そこで、この発明は、端子の多極化におけるハウジングとホルダとの挿入抵抗を軽減でき、組付性を向上することができるコネクタの提供を目的としている。
【課題を解決するための手段】
【０００９】
請求項１記載の発明は、ハウジングと、このハウジングに収容され箱状の接続部を有する複数の端子と、前記箱状の接続部の内外に出没可能に設けられた接点部と、前記ハウジングの前記端子の接続部側に組付けられるホルダと、このホルダに前記端子の接続部側に向けて延設され前記ホルダが前記ハウジングに組付けられるときに前記接点部の先端と当接して摺動し前記接点部を変位させて前記接続部外に出させる複数の押上部とを備えたコネクタであって、前記複数の押上部は、前記端子の接続部側に向けて延設された延設長さが少なくとも２種類の長さに設定されていることを特徴とする。
【００１０】
このコネクタでは、複数の押上部が端子の接続部側に向けて延設された延設長さが少なくとも２種類の長さに設定されているので、ハウジングとホルダとの組付において、押上部による接点部を変位させるタイミングが少なくとも２段階に分けられ、ハウジングとホルダとの挿入抵抗を軽減することができる。
【００１１】
従って、このようなコネクタでは、端子が多極化した場合に、ハウジングとホルダとの挿入抵抗を少なくとも２段階に分けることができ、端子の多極化におけるハウジングとホルダとの挿入抵抗を軽減でき、組付性を向上することができる。
【００１２】
請求項１に記載の発明は、さらに、前記複数の押上部のうち延設長さが短い前記押上部は、延設長さが長い前記押上部が前記接点部を最大に変位させた後、前記接点部の先端と当接して前記接点部の変位を開始させることを特徴とする。
【００１３】
このコネクタでは、複数の押上部のうち延設長さが短い押上部が延設長さが長い押上部が接点部を最大に変位させた後、接点部の先端と当接して接点部の変位を開始させるので、延設長さが長い押上部による接点部の変位を終えた後に、延設長さが短い押上部によって接点部を変位させることができ、複数の押上部による接点部を変位させるタイミングを確実に分けることができる。
【００１４】
請求項２に記載の発明は、請求項１に記載のコネクタであって、前記押上部は、前記接点部の先端との当接を開始させる部分が傾斜面で形成されていることを特徴とする。
【００１５】
このコネクタでは、押上部が接点部の先端との当接を開始させる部分が傾斜面で形成されているので、押上部による接点部の変位をスムーズに行うことができ、さらに組付性を向上することができる。
【発明の効果】
【００１６】
本発明によれば、端子の多極化におけるハウジングとホルダとの挿入抵抗を軽減でき、組付性を向上することができるコネクタを提供することができるという効果を奏する。
【図面の簡単な説明】
【００１７】
【図１】本発明の実施の形態に係るコネクタの分解斜視図である。
【図２】本発明の実施の形態に係るコネクタの断面図である。
【図３】（ａ）は本発明の実施の形態に係るコネクタのホルダの斜視図である。（ｂ）は図３（ａ）の側面図である。
【図４】本発明の実施の形態に係るコネクタのハウジングとホルダとの挿入途中の断面図である。
【図５】本発明の実施の形態に係るコネクタのハウジングとホルダとの挿入完了の断面図である。
【発明を実施するための形態】
【００１８】
図１〜図５を用いて本発明の実施の形態に係るコネクタについて説明する。
【００１９】
本実施の形態に係るコネクタ１は、ハウジング３と、このハウジング３に収容され箱状の接続部５を有する複数の端子７と、箱状の接続部５の内外に出没可能に設けられた接点部９と、ハウジング３の端子７の接続部５側に組付けられるホルダ１１と、このホルダ１１に端子７の接続部５側に向けて延設されホルダ１１がハウジング３に組付けられるときに接点部９の先端と当接して摺動し接点部９を変位させて接続部５外に出させる複数の押上部１３とを備えている。
【００２０】
そして、複数の押上部１３は、端子７の接続部５側に向けて延設された延設長さが２種類の長さＬ１，Ｌ２に設定されている。
【００２１】
また、複数の押上部１３のうち延設長さが短い押上部１３は、延設長さが長い押上部１３が接点部９を最大に変位させた後、接点部９の先端と当接して接点部９の変位を開始させる。
【００２２】
さらに、押上部１３は、接点部９の先端との当接を開始させる部分が傾斜面１５で形成されている。
【００２３】
図１〜図５に示すように、ハウジング３は、合成樹脂などの絶縁性材料からなり、一側面側に相手コネクタ３５の端部が挿入されるフード部１７が設けられ、他側面側に複数の端子７が挿入される端子挿入部１９が設けられている。
【００２４】
このハウジング３には、端子挿入部１９側の開口から複数の端子７が挿入され、内部に設けられた端子収容室２１内に複数の端子７が収容配置される。
【００２５】
なお、ハウジング３の端子挿入部１９の開口側には、複数の端子７を挿入可能な複数の孔が設けられ、ハウジング３と複数の端子７とに密着してハウジング３と複数の端子７との間を防水するマットシール２３が配置される。
【００２６】
このマットシール２３は、ハウジング３の端子挿入部１９に配置された後、複数の端子７を挿入可能な複数の孔が設けられ、ハウジング３の端子挿入部１９の開口に組付けられるマットシールカバー２５によってハウジング３からの抜け止めがなされる。
【００２７】
複数の端子７は、導電性材料からなり、箱状の接続部５を有する雌型端子となっている。また、複数の端子７は、それぞれ電源や機器などに接続された電線２７の端末部に圧着などによって電気的に接続されている。
【００２８】
この複数の端子７は、接続部５側がハウジング３の端子挿入部１９の開口から挿入され、接続部５がフード部１７側に位置するようにハウジング３内の端子収容室２１に収容される。このとき、端子７の接続部５には、端子収容室２１内に撓み可能に設けられた係止ランス２９が係止され、ハウジング３からの抜け止めがなされる。
【００２９】
このような複数の端子７は、ハウジング３の高さ方向に上段と下段とに上下対称に収容されると共に、ハウジング３の幅方向に並列に複数配列されて収容される。このようにハウジング３に収容される複数の端子７の箱状の接続部５には、それぞれ接点部９が設けられている。
【００３０】
接点部９は、基端側が箱状の接続部５の上壁から連続する一部材で形成され、自由端側が箱状の接続部５の底壁に向けて折り曲げ形成された撓み可能な弾性片からなる。また、接点部９の中央部には、箱状の接続部５の上壁に形成された孔から接点部９の撓みによって接続部５の内外を出没可能な接触部３１が設けられている。この接点部９は、端子７がハウジング３に収容される場合、接触部３１が箱状の接続部５内に収容されている。
【００３１】
このため、端子７は、接続部５がマットシール２３やマットシールカバー２５の孔を挿通する際に、接触部３１がマットシール２３やマットシールカバー２５に干渉することがなく、マットシール２３やマットシールカバー２５の損傷を防止することができる。このような接点部９が設けられた端子７を収容したハウジング３のフード部１７には、ホルダ１１が組付けられる。
【００３２】
ホルダ１１は、合成樹脂などの絶縁性材料からなり、ハウジング３のフード部１７からハウジング３内に収容される。また、ホルダ１１の高さ方向の両端部には、ハウジング３に収容された状態で、係止ランス２９の撓み空間に挿入され、係止ランス２９の撓みを規制する複数の規制突起３３が延設されている。
【００３３】
このホルダ１１の端子７と対向する対向面には、ホルダ１１がハウジング３のフード部１７に挿入されることにより、端子７の箱状の接続部５内に挿入されて接点部９の先端に当接される複数の押上部１３が端子７側に向けて延設されている。
【００３４】
複数の押上部１３は、複数の端子７と対応するように、ホルダ１１の高さ方向に上段と下段とに上下対称に形成されると共に、ホルダ１１の幅方向に並列に複数配列されて形成されている。また、押上部１３の先端側は、端子７側からホルダ１１側に向けて上り傾斜となる傾斜面１５で形成されている。
【００３５】
この押上部１３は、ホルダ１１がハウジング３のフード部１７に挿入されることにより、端子７の箱状の接続部５内に挿入され、傾斜面１５の先端が接点部９の先端に当接される。この状態からさらにホルダ１１をハウジング３のフード部１７に挿入することにより、接点部９の先端が傾斜面１５と摺動して接点部９が接続部５の上壁に向けて変位される。
【００３６】
この押上部１３による接点部９の変位により、接触部３１が接続部５の上壁の孔から接続部５外に出される。このように接続部５外に出された接触部３１は、ホルダ１１がハウジング３に完全に組付けられた状態で、ハウジング３の高さ方向に対向する一対の接触部３１，３１となる。この一対の接触部３１，３１間には、ハウジング３のフード部１７に相手コネクタ３５が挿入されることにより、相手コネクタ３５の端部が挿入される。
【００３７】
相手コネクタ３５は、合成樹脂などの絶縁性材料からなる基板ハウジング３７内に回路基板３９がインサート成形されて構成されている。この基板ハウジング３７から露出する回路基板３９の端部には、回路パターンを構成する複数の導体部が表裏面に幅方向に複数列設けられている。
【００３８】
この相手コネクタ３５は、露出された回路基板３９側の端部が基板ハウジング３７の外周に設けられた一対のガイドリブ（図示略）とハウジング３に設けられた一対のガイド溝４３，４３とを介してハウジング３のフード部１７内に挿入され、基板ハウジング３７とハウジング３とに設けられた係止部４７（基板ハウジング側の係止部は図示略）を介して係止される。
【００３９】
このように相手コネクタ３５の回路基板３９側の端部をハウジング３のフード部１７内に収容することにより、相手コネクタ３５の回路基板３９がホルダ１１を挿通して一対の接触部３１，３１間に挿入される。これにより、一対の接触部３１，３１が回路基板３９の導体部に接続され、相手コネクタ３５と複数の端子７とが導通される。
【００４０】
なお、ハウジング３と相手コネクタ３５との間には、ハウジング３のフード部１７内に収容配置され、ハウジング３と基板ハウジング３７とに密着してハウジング３と相手コネクタ３５との間を防水するパッキン４９が配置される。
【００４１】
このようなコネクタ１において、複数の押上部１３は、端子７の接続部５側に向けて延設された延設長さが２種類の長さＬ１，Ｌ２に設定されている。詳細には、複数の押上部１３は、ホルダ１１の幅方向において、隣り合う押上部１３，１３が異なる延設長さＬ１，Ｌ２を有するように交互に配列され、ホルダ１１の高さ方向において、上下に対向する押上部１３，１３が異なる延設長さＬ１，Ｌ２を有するように配置されている。
【００４２】
この延設長さＬ１，Ｌ２は、長い延設長さＬ１を有する押上部１３が接点部９を最大に変位させた後、短い延設長さＬ２を有する押上部１３が接点部９の先端と当接して接点部９の変位を開始させるように設定されている。
【００４３】
このように複数の押上部１３の延設長さＬ１，Ｌ２を設定することにより、押上部１３によって接点部９を変位させる変位力のピークに到達するタイミングを延設長さＬ１を有する押上部１３と延設長さＬ２を有する押上部１３とで分けることができる。
【００４４】
このため、ハウジング３とホルダ１１との挿入範囲において、従来のような全ての接点部９を変位させる変位力のピークが同時に到達される押上部１３に比較して、複数の押上部１３による接点部９の変位力を分けることができ、ハウジング３とホルダ１１との挿入抵抗を軽減することができる。
【００４５】
このようなコネクタ１では、複数の押上部１３が端子７の接続部５側に向けて延設された延設長さが２種類の長さＬ１，Ｌ２に設定されているので、ハウジング３とホルダ１１との組付において、押上部１３による接点部９を変位させるタイミングが２段階に分けられ、ハウジング３とホルダ１１との挿入抵抗を軽減することができる。すなわち、複数の押上部１３の延設長さを変えているため、押上部１３による接点部９を変位させるタイミングをずらすことができる。これにより、ハウジング３に対するホルダ１１の挿入力を軽減することができる。
【００４６】
従って、このようなコネクタ１では、端子７が多極化した場合に、ハウジング３とホルダ１１との挿入抵抗を２段階に分けることができ、端子７の多極化におけるハウジング３とホルダ１１との挿入抵抗を軽減でき、組付性を向上することができる。
【００４７】
また、短い延設長さＬ２を有する押上部１３は、長い延設長さＬ１を有する押上部１３が接点部９を最大に変位させた後、接点部９の先端と当接して接点部９の変位を開始させるので、長い延設長さＬ１を有する押上部１３による接点部９の変位を終えた後に、短い延設長さＬ２を有する押上部１３によって接点部９を変位させることができ、複数の押上部１３による接点部９を変位させるタイミングを確実に分けることができる。
【００４８】
さらに、押上部１３は、接点部９の先端との当接を開始させる部分が傾斜面１５で形成されているので、押上部１３による接点部９の変位をスムーズに行うことができ、さらに組付性を向上することができる。
【００４９】
なお、本発明の実施の形態に係るコネクタでは、複数の押上部の延設長さが２種類に設定されているが、これに限らず、延設長さを２種類以上設定してもよい。この場合には、延設長さが長い押上部が接点部を最大に変位させた後、延設長さが短い押上部が接点部の先端と当接して接点部の変位を開始させるように延設長さを設定することが好ましい。
【符号の説明】
【００５０】
１…コネクタ
３…ハウジング
５…接続部
７…端子
９…接点部
１１…ホルダ
１３…押上部
Ｌ１，Ｌ２…延設長さ
１５…傾斜面
【図１】
0006356504.tif 000002
【図２】
0006356504.tif 000003
【図３】
0006356504.tif 000004
【図４】
0006356504.tif 000005
【図５】
0006356504.tif 000006